(57)【要約】      （修正有）【課題】水と砂、砂利、セメントおよび小型のコンクリートミキサーを一度に現場に運搬して、品質の一定した生コンクリートやモルタルを現場で少量製造するのに好適なコンクリートプラント運搬車を提供する。【解決手段】クローラー自走式の走行装置２に、タンク１３が走行方向に対して左右に回動できるように支持されたコンクリートミキサー４と、材料を積む荷台５がシリンダー６により傾動自在に支持されたダンプ７と、水タンク８とを一体に取付けたコンクリートプラント運搬車。【選択図】図１
0003136583.tif 000002
【実用新案登録請求の範囲】
【請求項１】
エンジンで走行するクローラー車で構成された自走式の走行装置に、コンクリートミキサーと、材料を積む荷台と、水タンクとを一体に取付け、前記荷台が、シリンダーにより傾動自在に支持されたダンプで形成されていることを特徴とするコンクリートプラント運搬車。
【請求項２】
コンクリートミキサーのタンクが、略Ｕ字形状をなす支持フレームの内側に取付けられ、この支持フレームの左右に設けた軸受に回動自在に支持されて、タンクが走行方向に対して左右に回動できるようにしたことを特徴とする請求項１記載のコンクリートプラント運搬車。
【考案の詳細な説明】
【技術分野】
【０００１】
本考案は少量の生コンクリートやモルタルを現場で少量製造する小型のコンクリートプラント運搬車に関するものである。
【背景技術】
【０００２】
従来、道路の縁石や道路標識の設置、ブロック工事、側溝工事など、現場で少量の生コンクリートやモルタルを使用する工事を行う場合、工場で生産した少量のものを現場まで運搬できないため、通常は現場において、水と砂、砂利、セメントをスコップで混ぜたり、小型のコンクリートミキサーを用いて作成していた。
【０００３】
しかしながら、現場での作業は少量の材料を運搬すると共に、水をタンクに入れて運び、更に現場で鉄板を敷いてこの上で手作業により練り合せたり、小型のコンクリートミキサーを搬入して混練するなど、その運搬や作業に多くの手間と時間がかかり、しかも品質が一定しないなどの問題があった。
【考案の開示】
【考案が解決しようとする課題】
【０００４】
本考案は上記問題を改善し、水と砂、砂利、セメントおよび小型のコンクリートミキサーを一度に現場に運搬して、品質の一定した生コンクリートやモルタルを現場で少量製造するのに好適なコンクリートプラント運搬車を提供するものである。
【課題を解決するための手段】
【０００５】
本考案の請求項１記載のコンクリートプラント運搬車は、エンジンで走行するクローラー車で構成された自走式の走行装置に、コンクリートミキサーと、材料を積む荷台と、水タンクとを一体に取付け、前記荷台が、シリンダーにより傾動自在に支持されたダンプで形成されていることを特徴とするものである。
【０００６】
本考案の請求項２記載のコンクリートプラント運搬車は、請求項１において、コンクリートミキサーのタンクが、略Ｕ字形状をなす支持フレームの内側に取付けられ、この支持フレームの左右に設けた軸受に回動自在に支持されて、タンクが走行方向に対して左右に回動できるようにしたことを特徴とするものである。
【考案の効果】
【０００７】
以上説明した如く本考案に係る請求項１記載のコンクリートプラント運搬車によれば、自走式の走行装置に、コンクリートミキサーと、材料を積む荷台と、水タンクとを一体に取付けたので、水と砂や砂利、セメントなどを一緒に載せて現場まで自走して運搬することができ、現場で少量の生コンクリートやモルタルを使用する工事を行なう場合には、必要な材料やコンクリートミキサー、水タンクが積み込まれているので、現場に行ってからの作業性に優れ、短時間で製造することができると共に、品質の一定した生コンクリートやモルタルを製造することができる。
【０００８】
また自走式の走行装置が、エンジンで走行するクローラー車で構成されているので、凹凸の激しい悪路や傾斜地、湿地帯でも走行することができ、どのような状態の現場にも対応することができる。また材料を積む荷台がシリンダーにより傾動自在に支持されたダンプで形成されているので、材料の排出や土砂の排出が容易である。
【０００９】
また請求項２記載のコンクリートプラント運搬車によれば、コンクリートミキサーのタンクが、走行方向に対して左右に回動できるように支持されているので、現場に応じて生コンクリートやモルタルの排出方向を変えることができる。
【考案を実施するための最良の形態】
【００１０】
以下本考案の実施の一形態を図１ないし図５を参照して詳細に説明する。コンクリートプラント運搬車１は、自走式のクローラー車２のフレーム３の上に、小型のコンクリートミキサー４と、材料を積む荷台５がシリンダー６により傾動自在に支持されたダンプ７と、水タンク８とが取付けられ、エンジン９により前記クローラー車２を走行させるようになっている。
【００１１】
小型のコンクリートミキサー４は、エンジン９の前方に配置され、図３に示すように、スタンド１２Ａ、１２Ｂにタンク１３が左右に回動自在に支持されている。タンク１３はその基端部に回転軸１４が突設され、これはタンク１３を囲むように取付けた略Ｕ字形状をなす支持フレーム１５の中間に設けた軸受１６に支持され、更にここを貫通した回転軸１４の先端にプーリ１７Ａが取付けられている。また支持フレーム１５には油圧モータ１８が取付けられ、この出力軸１９にプーリ１７Ｂが取付けられ、前記プーリ１７Ａとベルト２０で連結されて、油圧モータ１８の回転によりタンク１３が回転するようになっている。
【００１２】
また略Ｕ字形状をなす支持フレーム１５の両側は、スタンド１２Ａ、１２Ｂの上部に設けた軸受２２に支持軸２３で左右に回動自在に支持されている。また支持フレーム１５のスタンド１２Ａ側に取付けた支持軸２３の前後には、図４に示すように多数のピン孔２５…を開孔した角度調整板２６Ａ、２６Ｂが縦方向に接続されている。
【００１３】
またこの角度調整板２６Ａ、２６Ｂに対向してスタンド１２Ａの上部にはピン貫通孔２７Ａ、２７Ｂを開孔したブラケット２８Ａ、２８Ｂが取付けられ、ここにロックピン３０を貫通し、先端を角度調整板２６Ａ、２６Ｂのピン孔２５に貫通させることにより、タンク１３を所定の角度でロックするようになっている。更に略Ｕ字形状をなす支持フレーム１５のスタンド１２Ａ側の先端は、延出されて回動レバ−３２が形成されている。
【００１４】
上記構成のコンクリートプラント運搬車は、図２に示すように水タンク８に水を入れ、ダンプ７の荷台５に砂や砂利、セメントを載せて、トラックで現場まで運搬する。現場に到着したら、コンクリートプラント運搬車１を自走させてトラックの荷台から降ろす。この後、施工場所まで自走して行き、ここで図３および図４に示すように、ロックピン３０を抜いてタンク１３の角度を変えてから、ロックピン３０を角度調整板２６Ａのピン孔２５に差し込んでタンク１３の角度を調整する。
【００１５】
この後、荷台５に載せてきた砂や砂利、セメントをタンク１３に投入し、水タンク８から適量の水を注水する。この後、図示しないスイッチを入れて油圧モータ１８を駆動させると、図３に示すようにプーリ１７Ｂ、ベルト２０、プーリ１７Ａを介して動力が伝達され、タンク１３が回転して生コンクリートやモルタルが製造される。生コンクリートやモルタルが製造されたら、ロックピン３０を角度調整板２６Ａのピン孔２５から抜いて、回動レバ−３２を手に持って下げると、タンク１３が下方に回動して、その開口部から生コンクリートやモルタルが排出される。
【００１６】
またダンプ７は、材料の運搬だけではなく、土砂などを積み込んで運搬でき、必要に応じて図５に示すように、シリンダー６を伸出させることにより荷台５を傾動させて、一度に排出することができる。
【００１７】
従って、道路の縁石や道路標識の設置、ブロック工事、側溝工事など、現場で少量の生コンクリートやモルタルを使用する工事を行なう場合には、必要な材料が全てコンクリートプラント運搬車１に積み込まれているので、現場に行ってからの作業性に優れ、短時間で製造することができる。またコンクリートプラント運搬車１はクローラー車２で自走できるので、凹凸の激しい悪路や傾斜地、湿地帯でも走行することができる。
【００１８】
また図２は、コンクリートミキサー４のタンク開口部がコンクリートプラント運搬車１の進行方向に向かって左向きになっているが、作業現場によっては図１に示すように右向きの方が生コンクリートやモルタルを使用する上で便利な場所もある。
【００１９】
このような場合には図４に示すように、ロックピン３０を角度調整板２６Ａのピン孔２５から引き抜いて、回動レバ−３２を矢印方向に回転させると、タンク１３の両側に取付けた支持軸２３、２３が軸受２２、２２に回動自在に支持されているので、ここを回転中心として回動して、図１の状態になる。この場合、タンク１３の傾動角度の調整は、図４に示す角度調整板２６Ｂのピン孔２５に、ブラケット２８Ｂのピン貫通孔２７Ｂを通してロックピン３０を差し込んでロックする。
【図面の簡単な説明】
【００２０】
【図１】本考案の実施の一形態によるコンクリートプラント運搬車の斜視図である。
【図２】コンクリートプラント運搬車の側面図である。
【図３】図２のコンクリートミキサーを示す水平断面図である。
【図４】図３のコンクリートミキサーを示す斜視図である。
【図５】ダンプを傾動させたコンクリートプラント運搬車の側面図である。
【符号の説明】
【００２１】
１      コンクリートプラント運搬車                          
２      クローラー車                                        
３      フレーム                                            
４      コンクリートミキサー                                
５      荷台                                                
６      シリンダー                                          
７      ダンプ                                              
８      水タンク                                            
９      エンジン                                            
１０    走行レバー                                          
１２Ａ  スタンド                                            
１３    タンク                                              
１５    支持フレーム                                        
１８    油圧モータ                                          
２６Ａ  角度調整板            
３０    ロックピン  
３２    回動レバ−  
【図１】
0003136583.tif 000003
【図２】
0003136583.tif 000004
【図３】
0003136583.tif 000005
【図４】
0003136583.tif 000006
【図５】
0003136583.tif 000007